(57)【要約】【課題】シンプルな構成で多数に分岐した電力線の漏洩電流を計測して下流電気設備の絶縁不良を監視でき、事前にその徴候を見て設備の予防保全を行うことが可能となり、少ない費用と労力で電気設備をより安全に監視する安価な絶縁監視装置を提供する。【解決手段】複数に分岐した分岐電力線において、分岐電力線の電路毎の漏洩電流を測定する漏洩電流測定手段を備え、漏洩電流値より絶縁不良の良否を判定する良否判定手段、絶縁不良を予測し警告する不良予測手段、漏洩電流値を所定の回数記憶し、また、良否判定結果および不良予測結果に基づき漏洩電流値を記憶するトレンド記憶手段を備え、上記結果を表示、出力する表示・出力手段を備えている。【選択図】図１
2005195528.tif 000002
【特許請求の範囲】
【請求項１】
複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段とを備えた絶縁監視装置。
【請求項２】
複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良の良否を判定する良否判定手段とを備えた絶縁監視装置。
【請求項３】
複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良を予測する不良予測手段とを備えた絶縁監視装置。
【請求項４】
複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した各電路の漏洩電流値を表示する表示手段とを備えた絶縁監視装置。
【請求項５】
複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した各電路の漏洩電流値を外部に出力する出力手段とを備えた絶縁監視装置。
【請求項６】
複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良の良否を判定する良否判定手段と、前記良否判定手段で絶縁不良と判定した時に絶縁不良発生と前記演算手段で演算した当該電路の漏洩電流値を表示する表示手段とを備えた絶縁監視装置。
【請求項７】
複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良の良否を判定する良否判定手段と、前記良否判定手段で絶縁不良と判定した時に絶縁不良発生と前記演算手段で演算した当該電路の漏洩電流値を外部に出力する出力手段とを備えた絶縁監視装置。
【請求項８】
複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良を予測する不良予測手段と、前記不良予測手段で絶縁不良を予測した時に絶縁不良予測と前記演算手段で演算した当該電路の漏洩電流値を表示する表示手段とを備えた絶縁監視装置。
【請求項９】
複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良を予測する不良予測手段と、前記不良予測手段で絶縁不良を予測した時に絶縁不良予測と前記演算手段で演算した当該電路の漏洩電流値を外部に出力する出力手段とを備えた絶縁監視装置。
【請求項１０】
表示手段は、演算手段で演算した各電路の漏洩電流値のうち所定演算回数分を表示する請求項４、６、８のいずれかに記載の絶縁監視装置。
【請求項１１】
出力手段は、演算手段で演算した各電路の漏洩電流値のうち所定演算回数分を外部出力する請求項５、７、９のいずれかに記載の絶縁監視装置。
【発明の詳細な説明】
【技術分野】
【０００１】
本発明は、複数に分岐した分岐電力線の各電路の漏洩電流を計測する絶縁監視装置に関するものである。
【背景技術】
【０００２】
従来、電気設備の絶縁不良を監視装置するには、電力線の通電を遮断し絶縁抵抗を計測するもの、また、受変電設備のトランスの接地線に零相変流器を設け漏洩電流を計測するもの、電力線を一括して零相変流器で漏洩電流を計測するものなどがある（例えば、特許文献１参照）。
【０００３】
以下、図５により従来の絶縁監視装置について説明する。図５は、従来の絶縁監視装置を複数配置し複数電路の絶縁を監視したときのブロック構成図である。
【０００４】
図５において、５０１は接地線または電路に設けられた電流検出手段、５２０は測定する電流値をサンプリングしアナログ値をデジタル値に変換するＡ／Ｄ変換器である。そしてＡ／Ｄ変換器５２０によりデジタル値に変換された電流値は、記憶手段５３１に書き込まれる。更に、演算手段５３２により適時読み出され、漏洩電流値が計算される。さらに５４１は演算手段５３２により演算された漏洩電流値の表示または出力を行なう表示・出力手段である。また、複数電路の漏洩電流を計測し絶縁を監視するには、上記構成の絶縁監視装置を複数配置する。
【特許文献１】特開平０６−４３１９６号公報（図１）
【発明の開示】
【発明が解決しようとする課題】
【０００５】
しかしながら上記従来の絶縁監視装置では、複数電路の絶縁を監視する場合、複数の絶縁監視装置を配置しなければならず、分岐後の多数の電力線を監視するには不向きであった。よって、一般的には受変電設備のトランス毎に漏洩電流を監視し、異常が認められた場合はそのトランス系統の分岐電力線を順次調査し、異常な電気設備を特定しなければならなかった。
【０００６】
そこで本発明は、上記従来の問題点を解決するもので、シンプルな構成で複数電路の漏洩電流を計測する安価な絶縁監視装置を提供することを目的とするものである。
【課題を解決するための手段】
【０００７】
上記従来の問題点を解決するために本発明の絶縁監視装置は、複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段とを備えたものである。
【０００８】
また、本発明の絶縁監視装置は、複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良の良否を判定する良否判定手段とを備えたものである。
【０００９】
また、本発明の絶縁監視装置は、複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良を予測する不良予測手段とを備えたものである。
【００１０】
また、本発明の絶縁監視装置は、複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した各電路の漏洩電流値を表示する表示手段とを備えたものである。
【００１１】
また、本発明の絶縁監視装置は、複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した各電路の漏洩電流値を外部に出力する出力手段とを備えたものである。
【００１２】
また、本発明の絶縁監視装置は、複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良の良否を判定する良否判定手段と、前記良否判定手段で絶縁不良と判定した時に絶縁不良発生と前記演算手段で演算した当該電路の漏洩電流値を表示する表示手段とを備えたものである。
【００１３】
また、本発明の絶縁監視装置は、複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良の良否を判定する良否判定手段と、前記良否判定手段で絶縁不良と判定した時に絶縁不良発生と前記演算手段で演算した当該電路の漏洩電流値を外部に出力する出力手段とを備えたものである。
【００１４】
また、本発明の絶縁監視装置は、複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良を予測する不良予測手段と、前記不良予測手段で絶縁不良を予測した時に絶縁不良予測と前記演算手段で演算した当該電路の漏洩電流値を表示する表示手段とを備えた絶ものである。
【００１５】
また、本発明の絶縁監視装置は、複数に分岐した分岐電力線の電路毎に、接地線または３相交流線路に設け電流値を検出する電流検出手段と、前記電流検出手段で検出する電流値を順次選択して所定周期でサンプリングするマルチプレクサ手段と、前記マルチプレクサ手段で選択した電流値から各電路の漏洩電流値を演算する演算手段と、前記演算手段で演算した漏洩電流値より絶縁不良を予測する不良予測手段と、前記不良予測手段で絶縁不良を予測した時に絶縁不良予測と前記演算手段で演算した当該電路の漏洩電流値を外部に出力する出力手段とを備えたものである。
【発明の効果】
【００１６】
以上で示したように、本発明の絶縁監視装置は、少ない費用と労力で電気設備をより安全に監視することができる効果を奏する。
【発明を実施するための最良の形態】
【００１７】
（実施の形態１）
以下本発明の絶縁監視装置における実施の形態１として、図面を参照しながら説明する。
【００１８】
図１において、１０１は分岐電力線の電路毎に設けられた電流検出手段、１２１は複数の入力から１つを選択するマルチプレクサ手段、１２２はサンプリングした値を保持するサンプル・ホールド手段、１２３はアナログ値をデジタル値に変換するＡ／Ｄ変換手段である。また、１２４はマルチプレクサ手段１２１、サンプル・ホールド手段１２２、および、Ａ／Ｄ変換手段１２３を制御するＡ／Ｄ変換制御手段である。さらに１３１はデータを記憶する記憶手段、１３２は記憶手段から読み出したデータより漏洩電流値を演算する演算手段である。また、１４１は演算された電路毎の漏洩電流値の表示や出力を行なう表示・出力手段である。
【００１９】
以上のように構成された本実施の形態における絶縁監視装置について、以下にその動作を説明する。まず、電路毎に設けられた電流検出手段１０１により接地線または電路の電流が検出される。ここで電流検出手段１０１は各電路の接地線または３相交流線路に設けられ、各電路での漏洩電流が求められるようにするものである。
【００２０】
検出された各電路のアナログの電流値は、マルチプレクサ手段１２１により各電路の電流検出器のうちの１つが選択され、サンプル・ホールド手段１２２によりサンプリングして保持される。そしてサンプリング時点の値に保持された被測定値は、Ａ／Ｄ変換手段１２３によりアナログ値からデジタル値に変換され、記憶手段１３１に書き込まれる。
【００２１】
続いてマルチプレクサ手段１２１、およびサンプル・ホールド手段１２２により、上記と同様に次の被測定値が選択、サンプリング保持され、記憶手段１３１に書き込まれる。これを繰り返して各検出手段で検出された被測定値がデジタル値に変換され記憶手段１３１に書き込まれる。
【００２２】
さらに演算手段１３２は、記憶手段１３１に記憶した任意電路の被測定値を読出し、各電路における漏洩電流値を演算する。さらに、表示手段１４１により各電路毎の漏洩電流値を数値表示する。また、出力手段１４１ａよりデータを外部へ出力する。以上の動作を所定の時間毎に繰り返し行う。
【００２３】
なお、電流検出手段１０１は、接地線に設けられる場合は零相変流器であり、演算手段１３２では、電流検出手段１０１で検出した電流値を漏洩電流値とする。また、電流検出手段１０１は、３相交流線路に設けられる場合は３相分の変流器であり、演算手段１３２では３相分の変流器の電流値から３相交流電流値の不平衡分を求めて漏洩電流を算出する。
【００２４】
また、表示手段１４１、出力手段１４１ａは一体で両方の機能を有するものであっても別構成で個別に機能を有するようにしてもよい。またどちらか一方のみであってもよい。
【００２５】
（実施の形態２）
さらに図２を用いて実施の形態１をさらに発展させた実施の形態２について説明する。
【００２６】
図２において１３３は、絶縁不良か否かを判定する良否判定手段であり、その他の構成品については同一符号を付して重複する詳細な説明を省略する。本実施の形態は、実施の形態１で説明した機能をさらに付加して構成するものであり、付加する機能のみについて説明する。
【００２７】
図２において、良否判定手段１３３は、演算手段１３２により演算された各電路の漏洩電流値が予め設定された各電路の漏洩電流基準値と比較して大きい場合絶縁不良と判定する。そして表示手段１４１は、通常は、各電路の絶縁不良の良否の状態を示し、絶縁不良が発生した場合、それを知らせると共に、絶縁不良が発生した電路、およびその漏洩電流値を数値表示する。また各電路の絶縁不良の良否の状態および漏洩電流値を外部に伝達するため、その信号を出力手段１４１ａより外部出力する。以上の動作を所定の時間毎に繰り返し行う。
【００２８】
なお、良否判定手段１３３で判定するために予め設定する漏洩電流基準値は記憶手段１３１または良否判定手段内に有する記憶手段等に記憶させておく。
【００２９】
また、表示手段１４１、出力手段１４１ａは一体で両方の機能を有するものであっても、別構成で個別に機能を有するようにしてもよい。またどちらか一方の機能のみであってもよい。
【００３０】
（実施の形態３）
さらに図３を用いて本発明の実施の形態２をさらに発展させた実施の形態３について説明する。
【００３１】
図３において１３４は、漏洩電流値が絶縁不良基準値に達する前に絶縁不良を予測する不良予測手段であり、その他の構成品については同一符号を付して重複する詳細な説明を省略する。本実施の形態は、実施の形態２で説明した機能をさらに付加して構成するものであり、付加する機能のみについて説明する。
【００３２】
図３において不良予測手段１３４は、演算手段１３２により演算された各電路の漏洩電流値が予め設定された各電路の漏洩電流基準値に予め設定した比率（１より小）を乗じた値と比較して大きい場合、近い将来絶縁不良となることを予測する。
【００３３】
更に、表示手段１４１により各電路の絶縁不良の予測を表示する。また、各電路の絶縁不良の予測を外部に伝達するため、その信号を出力手段１４１ａより外部出力する。以上の動作を所定の時間毎に繰り返し行う。
【００３４】
なお、不良予測手段１３４で判定するために予め設定する漏洩電流基準値は、記憶手段１３１、または良否判定手段１３３もしくは不良予測手段１３４内に有する記憶手段等に記憶させておく。
【００３５】
また、表示手段１４１、出力手段１４１ａは一体で両方の機能を有するものであっても、別構成で個別に機能を有するようにしてもよい。またどちらか一方の機能のみであってもよい。
【００３６】
（実施の形態４）
さらに図４は本実施の形態を発展させた実施例を示す図であり、図３の本実施の形態における構成にトレンド記憶手段１３５を追加して構成したものである。本実施の形態は、実施の形態３で説明した機能をさらに付加して構成するものであり、付加する機能のみについて説明する。
【００３７】
そして、トレンド記憶手段１３５は、演算手段１３２により演算された各電路の漏洩電流値を予め設定した所定演算回数だけ一時記憶する。なお、良否判定手段１３３が不良判定、もしくは、不良予測手段１３４が絶縁不良を予測したときの漏洩電流値をこのトレンド記憶手段１３５に記憶させてもよい。
【００３８】
そして、表示手段１４１は、トレンド記憶手段１３５に記憶した所定演算回数分の漏洩電流値を表示する。また、各電路の絶縁不良の予測を外部に伝達するため、その信号を出力手段１４１ａより外部出力する。以上の動作を所定の時間毎に繰り返し行う。
【００３９】
また、表示手段１４１、出力手段１４１ａは一体で両方の機能を有するものであっても、別構成で個別に機能を有するようにしてもよい。またどちらか一方の機能のみであってもよい。
【００４０】
以上のように、本発明の実施の形態１から３においては、従来、複数電路の絶縁を監視する場合複数の絶縁監視装置を配置しなければならず、多数に分岐した電力線から異常な電気設備を特定するのに多大な費用と労力を要していたのが、シンプルな構成で多数に分岐した電力線の漏洩電流を計測して下流電気設備の絶縁不良を監視でき、事前にその徴候を見て設備の予防保全を行うことが可能となり、少ない費用と労力で電気設備をより安全に監視する安価な絶縁監視装置を提供することができる。
【産業上の利用可能性】
【００４１】
本発明の絶縁監視装置は、複数系統の電路において低コストで漏洩電流を計測できるので、複数系統の電路を有する分電盤や省エネ等を目的として各電路の電力量を計測する電力量モニタの付加的な機能としても利用可能である。
【図面の簡単な説明】
【００４２】
【図１】本発明の実施の形態１における絶縁監視装置のブロック構成図
【図２】本発明の実施の形態２における絶縁監視装置のブロック構成図
【図３】本発明の実施の形態３における絶縁監視装置のブロック構成図
【図４】本発明の実施の形態４における絶縁監視装置のブロック構成図
【図５】従来の絶縁監視装置を複数配置したブロック構成図
【符号の説明】
【００４３】
１０１    電流検出手段
１２１    マルチプレクサ手段
１３２    演算手段
１３３    良否判定手段
１３４    不良予測手段
１３５    トレンド記憶手段
１４１    表示手段
１４１ａ  出力手段
【図１】
2005195528.tif 000003
【図２】
2005195528.tif 000004
【図３】
2005195528.tif 000005
【図４】
2005195528.tif 000006
【図５】
2005195528.tif 000007